(57)【要約】【課題】運転モードを切り替えたとしても、停止動作を経ることなく運転を継続できる吸収式冷凍機を提供すること。【解決手段】低熱源再生器９、高温再生器５、低温再生器６、蒸発器１、第１凝縮器７、第２凝縮器１０及び吸収器２を備え、これらを配管接続して吸収液及び冷媒の循環経路をそれぞれ形成し、低熱源再生器９に供給される温水を熱源として吸収液を加熱する一重効用運転と、当該吸収液を高温再生器５が備えるガスバーナ４を熱源として加熱する一重二重効用運転もしくは二重効用運転とを可能に構成された吸収式冷温水機１００において、吸収器２の吐出側と高温再生器５との間を供給開閉弁６６が介在し、当該高温再生器５に稀釈された吸収液を供給する吸収液供給管６５により接続した。【選択図】図１
2010276252.tif 000002
【特許請求の範囲】
【請求項１】
低熱源再生器、高温再生器、低温再生器、蒸発器、凝縮器及び吸収器を備え、これらを配管接続して吸収液及び冷媒の循環経路をそれぞれ形成し、低熱源再生器に供給される温水を熱源として吸収液を加熱する一重効用運転と、当該吸収液を高温再生器が備える加熱手段を熱源として加熱する一重二重効用運転もしくは二重効用運転とを可能に構成された吸収式冷凍機において、
前記吸収器の吐出側と前記高温再生器との間を開閉弁が介在し、当該高温再生器に稀釈された吸収液を供給する吸収液供給管により接続したことを特徴とする吸収式冷凍機。
【請求項２】
前記各運転のモードを切り替える切替手段を備え、この切替手段により、前記一重二重効用運転もしくは前記二重効用運転から前記一重効用運転に運転モードが切り換えられた場合、前記開閉弁を開放することを特徴とする請求項１に記載の吸収式冷凍機。
【請求項３】
前記高温再生器内の吸収液温度を検出する温度検出手段を備え、この温度検出手段が検出する吸収液温度が所定の温度まで低下した際に、前記開閉弁を閉鎖することを特徴とする請求項２に記載の吸収式冷凍機。
【発明の詳細な説明】
【技術分野】
【０００１】
本発明は、温水等を熱源とする低熱源再生器を備える吸収式冷凍機に関する。
【背景技術】
【０００２】
一般に、低熱源再生器、高温再生器、低温再生器、蒸発器、凝縮器及び吸収器を備え、これらを配管接続して吸収液及び冷媒の循環経路をそれぞれ形成した吸収式冷凍機が知られている（例えば、特許文献１参照）。この種の吸収式冷凍機では、蒸発器にブライン配管を介して接続された空気調和装置等の熱負荷の負荷量に応じて、低熱源再生器に供給される温水を熱源として吸収液を加熱再生する一重効用運転と、当該吸収液を高温再生器が備えるガスバーナ等を熱源として加熱再生する一重二重効用運転もしくは二重効用運転とを切り替えて運転可能に構成されている。
【特許文献１】特公平０３−８４６５号公報
【発明の開示】
【発明が解決しようとする課題】
【０００３】
ところで、近年、消費エネルギーの低減を図るべく、一重効用運転と、一重二重効用運転もしくは二重効用運転との運転モードをユーザが自在に切り替えたいといった要望がある。
しかし、運転モードの切り替えは、運転途中であっても、任意に行うことが可能であるため、例えば、一重二重効用運転もしくは二重効用運転から一重効用運転に運転モードを切り替えた場合には、高温再生器内の吸収液が高濃度のまま放置され、最終的には吸収液が結晶化してしまう状態の発生が考えられる。このため、運転モードを切り替える際には、高温再生器内の吸収液の稀釈運転を行う停止動作を経ることが必要であった。
このような運転モードの切り替えの際の停止動作は、低熱源再生器への温水の供給を遮断することになるため、低熱源再生機器に接続される熱源発生装置（例えば太陽熱温水器やコージェネレーション装置）の排熱の有効利用を妨げるものであった。また、蒸発器から熱負荷に循環供給されるブラインの温度が変動するおそれがあった。
【０００４】
本発明は、上述した事情に鑑みてなされたものであり、例えば、運転モードを切り替えたとしても、停止動作を経ることなく運転を継続できる吸収式冷凍機を提供することを目的とする。
【課題を解決するための手段】
【０００５】
上記課題を解決するため、本発明は、低熱源再生器、高温再生器、低温再生器、蒸発器、凝縮器及び吸収器を備え、これらを配管接続して吸収液及び冷媒の循環経路をそれぞれ形成し、低熱源再生器に供給される温水を熱源として吸収液を加熱する一重効用運転と、当該吸収液を高温再生器が備える加熱手段を熱源として加熱する一重二重効用運転もしくは二重効用運転とを可能に構成された吸収式冷凍機において、前記吸収器の吐出側と前記高温再生器との間を開閉弁が介在し、当該高温再生器に稀釈された吸収液を供給する吸収液供給管により接続したことを特徴とする。
【０００６】
この構成によれば、吸収器の吐出側と前記高温再生器との間を開閉弁が介在し、当該高温再生器に稀釈された吸収液を供給する吸収液供給管により接続したため、この開閉弁を開放することにより、吸収液供給管を通じて、高温再生器内に稀釈された吸収液を流入させることができる。このため、例えば、一重二重効用運転もしくは前記二重効用運転から前記一重効用運転に運転モードが切り換えられた場合であっても、高温再生器内の高濃度の吸収液を稀釈できるため、停止動作を経ることなく吸収式冷凍機の運転を継続できる。
【０００７】
この構成において、前記各運転のモードを切り替える切替手段を備え、この切替手段により、前記一重二重効用運転もしくは前記二重効用運転から前記一重効用運転に運転モードが切り換えられた場合、前記開閉弁を開放する構成としても良い。
【０００８】
また、前記高温再生器内の吸収液温度を検出する温度検出手段を備え、この温度検出手段が検出する吸収液温度が所定の温度まで低下した際に、前記開閉弁を閉鎖する構成としても良い。この構成によれば、高温再生器内の吸収液が適度に稀釈され、当該吸収液の結晶化が防止されるとともに、高温再生器内に過剰な量の吸収液が供給されることが防止される。
【発明の効果】
【０００９】
本発明によれば、吸収器の吐出側と前記高温再生器との間を開閉弁が介在し、当該高温再生器に稀釈された吸収液を供給する吸収液供給管により接続したため、この開閉弁を開放することにより、吸収液供給管を通じて、高温再生器内に稀釈された吸収液を流入させることができる。このため、例えば、一重二重効用運転もしくは二重効用運転から一重効用運転に運転モードが切り換えられた場合であっても、高温再生器内の高濃度の吸収液を稀釈できるため、停止動作を経ることなく吸収式冷凍機の運転を継続できる。
【発明を実施するための最良の形態】
【００１０】
以下、図面を参照して本発明の一実施形態を説明する。
図１は、本実施形態にかかる吸収式冷温水機（吸収式冷凍機）１００の概略構成図である。吸収式冷温水機１００は、冷媒に水を、吸収液に臭化リチウム（ＬｉＢｒ）水溶液を使用し、この吸収液を、熱源発生装置（例えば太陽熱温水器やコージェネレーション装置）で生成された比較的低温（例えば約８０℃程度）の温水で加熱する低熱源再生器を備える排熱回収型（いわゆるジェネリンク）の吸収式冷温水機である。
吸収式冷温水機１００は、図１に示すように、蒸発器１と、この蒸発器１に並設された吸収器２と、これら蒸発器１及び吸収器２を収納した蒸発器吸収器胴３と、ガスバーナ４を備えた高温再生器５と、低温再生器６と、この低温再生器６に並設された第１凝縮器７と、これら低温再生器６及び第１凝縮器７を収納した低温再生器凝縮器胴８と、他の設備から供給される温水などを熱源とする低熱源再生器９と、この低熱源再生器９に並設された第２凝縮器１０と、これら低熱源再生器９及び第２凝縮器１０を収納した低熱源再生器凝縮器胴１１と、低温熱交換器１２と、高温熱交換器１３と、冷媒ドレン熱回収機１７と、稀吸収液ポンプＰ１と、中間吸収液ポンプＰ２と、濃吸収液ポンプＰ３と、冷媒ポンプＰ４とを備え、これらの各機器が吸収液管２１〜２５及び冷媒管３１〜３６などを介して配管接続されている。
【００１１】
符号１４は、蒸発器１内で冷媒と熱交換したブラインを、図示しない熱負荷（例えば空気調和装置）に循環供給するための冷／温水管であり、この冷／温水管１４の一部に形成された伝熱管１４Ａが蒸発器１内に配置されている。また、冷／温水管１４の伝熱管１４Ａ下流側には、当該冷／温水管１４内を流通するブラインの温度を測定する第１温度センサＳ１が設けられている。符号１５は、吸収器２、第１凝縮器７及び第２凝縮器１０に順次冷却水を流通させるための冷却水管であり、この冷却水管１５の一部に形成された各伝熱管１５Ａ、１５Ｂ、１５Ｃがそれぞれ吸収器２、第１凝縮器７及び第２凝縮器１０内に配置されている。また、符号１６は、図示しない熱源発生装置（例えば太陽熱温水器やコージェネレーション装置）で生成された比較的低温（例えば約８０℃程度）の温水を、低熱源再生器９に循環供給するための低熱源供給管である。この低熱源供給管１６は、低熱源再生器９内に配置される伝熱管１６Ａと、この伝熱管１６Ａに並列に接続されるバイパス管１６Ｂと、伝熱管１６Ａに供給する温水の流量を調整するために切り替えられる三方弁２８とを備える。符号５０は、吸収式冷温水機１００全体の制御を司る制御装置であり、この制御装置５０には、低熱源再生器９に循環供給される温水を熱源として吸収液を加熱する一重効用運転と、高温再生器５が備えるガスバーナ４を熱源として加熱する一重二重効用運転もしくは二重効用運転とで運転モードを切り替えるモード切替スイッチ（切替手段）５１が接続されており、このモード切替スイッチは、ユーザが遠方から操作可能になっている。
【００１２】
吸収器２は、蒸発器１で蒸発した冷媒蒸気を吸収液に吸収させ、蒸発器吸収器胴３内の圧力を高真空状態に保つ機能を有する。この吸収器２の下部には、冷媒蒸気を吸収して稀釈された稀吸収液が溜る稀吸収液溜り２Ａが形成され、この稀吸収液溜り２Ａには、稀吸収液ポンプＰ１を有する稀吸収液管２１の一端が接続されている。稀吸収液管２１は、稀吸収液ポンプＰ１の下流側に吸収器２内に配置される伝熱管２１Ａを備え、この伝熱管２１Ａの下流側で第１稀吸収液管２１Ｂと第２稀吸収液管２１Ｃとに分岐される。
第１稀吸収液管２１Ｂは冷媒ドレン熱回収器１７を経由し、第２稀吸収液管２１Ｃは低温熱交換器１２を経由した後に再び合流して１本の稀吸収液管２１となり、この稀吸収液管２１の他端には、低熱源再生器９内の形成された気層部９Ａの上部に設けられる散布器９Ｂに接続される。
【００１３】
低熱源再生器９の気層部９Ａには、低熱源供給管１６の一部に形成された伝熱管１６Ａが配置されており、この低熱源供給管１６に温水を流通させることにより、散布器９Ｂを通じて散布された吸収液を加熱再生、すなわち、吸収液中の冷媒を蒸発させてこの吸収液を濃縮することができる。
また、気層部９Ａの下部には、散布器９Ｂを通じて散布された吸収液が溜る吸収液溜り９Ｃが形成され、この吸収液溜り９Ｃには、中間吸収液ポンプＰ２を有する第１中間吸収液管２２の一端が接続され、この第１中間吸収液管２２の他端、すなわち、中間吸収液ポンプＰ２の下流側は高温熱交換器１３、後述する排気経路４０に設けられた排ガス熱交換器４１を経由した後、高温再生器５内に形成された熱交換部５Ａの上方に位置する気層部５Ｂに開口している。また、第１中間吸収液管２２は、排ガス熱交換器４１をバイパスする第１バイパス管２２Ａを備え、これら第１中間吸収液管２２及び第１バイパス管２２Ａには、それぞれ開閉弁Ｖ１、Ｖ２が設けられている。
【００１４】
高温再生器５は、シェル６０内にガスバーナ４を収容して構成され、このガスバーナ４の上方に当該ガスバーナ４の火炎を熱源として吸収液を加熱再生する熱交換部５Ａが形成されている。この熱交換部５Ａには、ガスバーナ４で燃焼された排気ガスが流通する排気経路４０が接続され、この排気経路４０には、排ガス熱交換器４１及び空気熱交換器４２が順次設けられている。また、ガスバーナ４には、燃料ガスが供給されるガス管６１と、ブロワ６２からの空気が空気熱交換器４２を経由して供給される吸気管６３とが接続され、これらガス管６１及び吸気管６３には、燃料ガス及び空気の量を制御する制御弁６４が設けられている。
【００１５】
熱交換部５Ａの側方には、この熱交換部５Ａで加熱再生された後に当該熱交換部５Ａから流出した中間吸収液が溜る中間吸収液溜り５Ｃが形成されている。この中間吸収液溜り５Ｃの下端には、第２中間吸収液管２３の一端が接続され、この第２中間吸収液管２３の他端は低温再生器６内の上部に形成された気層部６Ａに開口している。また、第２中間吸収液管２３の中間吸収液溜り５Ｃ側には高温熱交換器１３が設けられている。この高温熱交換器１３は、中間吸収液溜り５Ｃから流出した高温の中間吸収液の温熱で第１中間吸収液管２２を流れる吸収液を加熱するものであり、高温再生器５におけるガスバーナ４の燃料消費量の低減を図っている。また、第２中間吸収液管２３の高温熱交換器１３上流側と吸収器２とは開閉弁Ｖ３が介在する吸収液管２４により接続されている。
【００１６】
本構成では、高温再生器５のシェル６０の底部には、この高温再生器５に稀釈された吸収液を供給するための吸収液供給管６５の一端が接続されている。この吸収液供給管６５の他端は、稀吸収液管２１の稀吸収液ポンプＰ１の下流側、より具体的には、稀吸収液ポンプＰ１と伝熱管２１Ａとの間に接続されている。この吸収液供給管６５には、供給開閉弁６６と逆止弁６７とが順次設けられており、この供給開閉弁６６を開放することにより、吸収器２内の稀吸収液が、吸収液供給管６５を通じて、高温再生器５のシェル６０に供給される。一方、高温再生器５内の吸収液は、逆止弁６７により吸収器２内に逆流することが防止される。また、高温再生器５には、シェル６０内に溜まった吸収液の温度を測定する第２温度センサ（温度検出手段）Ｓ２が設けられている。
【００１７】
低温再生器６は、高温再生器５で分離された冷媒蒸気を熱源として、気層部６Ａの下方に形成された吸収液溜り６Ｂに溜った吸収液を加熱再生するものであり、吸収液溜り６Ｂには、高温再生器５の上端部から第１凝縮器７の底部への延びる冷媒管３１の一部に形成される伝熱管３１Ａが配置されている。この冷媒管３１に冷媒蒸気を流通させることにより、上記伝熱管３１Ａを介して、冷媒蒸気の温熱が吸収液溜り６Ｂに溜った吸収液に伝達され、この吸収液が更に濃縮される。
低温再生器６の吸収液溜り６Ｂの下端には、濃吸収液管２５の一端が接続され、この濃吸収液管２５の他端は、吸収器２の気層部２Ｂ上部に設けられる濃液散布器２Ｃに接続されている。濃吸収液管２５には濃吸収液ポンプＰ３及び低温熱交換器１２が設けられている。この低温熱交換器１２は、低温再生器６の吸収液溜り６Ｂから流出した濃吸収液の温熱で第２稀吸収液管２１Ｃを流れる稀吸収液を加熱するものである。
また、濃吸収液管２５の濃吸収液ポンプＰ３上流側と、第１中間吸収液管２２の中間吸収液ポンプＰ２上流側とは、第２バイパス管２６により接続されており、濃吸収液管２５には、濃吸収液ポンプＰ３及び低温熱交換器１２をバイパスする第３バイパス管２７が設けられている。
中間吸収液ポンプＰ２の運転が停止している場合には、低熱源再生器９の吸収液溜り９Ｂから流出した吸収液は、第１中間吸収液管２２、第２バイパス管２６、濃吸収液ポンプＰ３、低温熱交換器１２及び濃吸収液管２５を通じて、吸収器２内に供給される。さらに、濃吸収液ポンプＰ３の運転が停止した場合には、低熱源再生器９の吸収液溜り９Ｂから流出した吸収液は、第１中間吸収液管２２、第２バイパス管２６、第３バイパス管２７及び濃吸収液管２５を通じて吸収器２内に供給される。
【００１８】
上述のように、高温再生器５の気層部５Ｂと第１凝縮器７の底部に形成された冷媒液溜り７Ａとは、低温再生器６の吸収液溜り６Ｂに配管された伝熱管３１Ａ及び冷媒ドレン熱回収器１７を経由する冷媒管３１により接続され、この冷媒管３１の伝熱管３１Ａ上流側と吸収器２の気層部２Ｂとは開閉弁Ｖ４が介在する冷媒管３２により接続されている。
また、第１凝縮器７の冷媒液溜り７Ａと第２凝縮器１０の底部とが冷媒管３３により接続されている。また、第１凝縮器７には、冷媒液溜り７Ａから流出した冷媒が流れる冷媒管３４の一端が接続され、この冷媒管３４の他端は、下方に湾曲したＵシール部３４Ａを介して蒸発器１の気層部１Ａにより接続されている。
蒸発器１の下方には、液化した冷媒が溜る冷媒液溜り１Ｂが形成され、この冷媒液溜り１Ｂと蒸発器１の気層部１Ａ上部に配置される散布器１Ｃとは冷媒ポンプＰ４が介在する冷媒管３５により接続されている。この冷媒管３５の冷媒ポンプＰ４下流側と吸収器２の吸収液溜り２Ａとは開閉弁Ｖ５が介在する冷媒管３６により接続されている。また、冷却水管１５の伝熱管１５Ｂ出口側との冷／温水管１４の伝熱管１４Ａの出口側とは、開閉弁Ｖ５が介在する連通管３７により接続されている。
【００１９】
次に動作について説明する。
冷房等の冷却運転時においては、冷／温水管１４を介して図示しない熱負荷に循環供給されるブライン（例えば冷水）の蒸発器１出口側温度（第１温度センサＳ１にて検出される温度）が所定の設定温度、例えば７℃になるように吸収式冷温水機１００に投入される熱量が制御装置５０により制御される。
具体的には、制御装置５０は、例えば、熱負荷が大きく、且つ、低熱源供給管１６を介して低熱源再生器９に供給する温水の温度が所定温度（例えば８５℃）に達している時には、低熱源供給管１６から低熱源再生器９に温水を定格量供給すると共に、全てのポンプＰ１〜Ｐ４を起動し、且つ、ガスバーナ４においてガスを燃焼させる一重二重効用運転を行い、第１温度センサＳ１が計測するブラインの温度が所定の７℃となるようにガスバーナ４の火力を制御する。
【００２０】
この場合、吸収器２から稀吸収液管２１を介して稀吸収液ポンプＰ１により低熱源再生器９に搬送された稀吸収液は、この低熱源再生器９内の吸収液溜り９Ｂにおいて、低熱源供給管１６から供給される温水により伝熱管１６Ａの管壁を介して加熱されることにより、稀吸収液中の冷媒が蒸発分離される。
【００２１】
冷媒を蒸発分離して吸収液濃度が高くなった中間吸収液は、第１中間吸収液管２２の中間吸収液ポンプＰ２により高温熱交換器１３及び排ガス熱交換器４１を経由して加熱され高温再生器５に送られる。高温再生器５に搬送された中間吸収液は、この高温再生器５でガスバーナ４による火炎および高温の燃焼ガスにより加熱されるため、この中間吸収液中の冷媒が蒸発分離する。高温再生器５で冷媒を蒸発分離して濃度が上昇した中間吸収液は、高温熱交換器１３を経由して低温再生器６へ送られる。
そして、中間吸収液は低温再生器６において、高温再生器５から冷媒管３１を介して供給されて伝熱管３１Ａに流入する高温の冷媒蒸気により加熱され、さらに冷媒が分離して濃度が一段と高くなり、この濃吸収液が、濃吸収液ポンプＰ３により低温熱交換器１２を経由して吸収器２へ送られ、濃液散布器２Ｃから散布される。
【００２２】
一方、低熱源再生器９で分離生成した冷媒は第２凝縮器１０に入って凝縮し、冷媒管３３を通じて、第１凝縮器７の冷媒液溜り７Ａに流入する。また、低温再生器６で分離生成した冷媒は第１凝縮器７に入って凝縮して冷媒液溜り７Ａに溜る。そして、冷媒液溜り７Ａに冷媒液が多く溜まると、この冷媒液は冷媒液溜り７Ａから流出し、冷媒管３４を経由して蒸発器１に入り、冷媒ポンプＰ４の運転により揚液されて散布器１Ｃから冷／温水管１４の伝熱管１４Ａの上に散布される。
伝熱管１４Ａの上に散布された冷媒液は、伝熱管１４Ａの内部を通るブラインから気化熱を奪って蒸発するため、伝熱管１４Ａの内部を通るブラインは冷却され、こうして温度を下げたブラインが冷／温水管１４から熱負荷に供給されて冷房等の冷却運転が行われる。
そして、蒸発器１で蒸発した冷媒は吸収器２へ入り、低温再生器６より供給されて上方から散布される濃吸収液に吸収されて、吸収器２の稀吸収液溜り２Ａに溜り、稀吸収液ポンプＰ１によって低熱源再生器９に搬送される循環を繰り返す。
【００２３】
一重二重効用運転時においては、第１温度センサＳ１が計測する温度が所定の７℃になるように、ガスバーナ４による加熱量、具体的にはガスバーナ４に供給する燃料ガス量が制御装置５０により制御される。そして、ガスバーナ４による加熱量を最小にしても、第１温度センサＳ１が所定の７℃より低い温度を計測すると、制御装置５０は、ガスの燃焼を止めてガスバーナ４による加熱を停止して一重効用運転に移行する。
【００２４】
一重効用運転における吸収液は、低熱源供給管１６から供給される温水により低熱源再生器９において加熱されて冷媒を蒸発分離する。そして、吸収液濃度が高くなった吸収液は、第２バイパス管２６、濃吸収液ポンプＰ３及び低温熱交換器１２を経由して吸収器２に戻される。
一方、低熱源再生器９で分離生成した冷媒蒸気は第２凝縮器１０に入って凝縮し、冷媒管３３を経由して第１凝縮器７の冷媒液溜り７Ａに入り、冷媒管３４を経由して蒸発器１に流入する。蒸発器１内に流入した冷媒液は、冷媒ポンプＰ４の運転により散布器１Ｃから冷／温水管１４の伝熱管１４Ａの上に散布され、伝熱管１４Ａ内を通るブラインから熱を奪って蒸発し、吸収器２に入って上方から散布される吸収液に吸収される循環が行われる。なお、吸収液が冷媒を吸収する際に発生する熱は、吸収器２内に配置される冷却水管１５の伝熱管１５Ａにより冷却される。
【００２５】
一重効用運転時においては、第１温度センサＳ１が計測する温度が所定の７℃になるように、低熱源再生器９における加熱量、具体的には低熱源供給管１６から伝熱管１６Ａに取り込む温水の量、すなわち三方弁２８の開度が制御装置５０により制御される。
そして、低熱源供給管１６を流れる温水の全量が伝熱管１６Ａに流れるように三方弁２８を操作しても、第１温度センサＳ１が所定温度の７℃以下の温度を計測しない時には、上記のようにガスバーナ４でガスを燃焼させ、高温再生器５における吸収液の加熱再生と冷媒蒸気の生成とを再開して一重二重効用運転に戻る。
【００２６】
また、一重効用運転時において、熱負荷は大きいが、低熱源供給管１６を介して低熱源再生器９に供給する温水の温度が所定の８５℃以下に低下した時（例えば、天候不順等により太陽熱温水器から供給される温水温度が安定しない時等）には、低熱源供給管１６から低熱源再生器９に温水が供給されないように三方弁２８を切り替えると共に、全てのポンプＰ１〜Ｐ４を起動し、且つ、ガスバーナ４においてガスを燃焼させる二重効用運転を行う。この場合も、第１温度センサＳ１が計測するブラインの温度が所定温度の７℃となるように、ガスバーナ４の火力が制御装置５０により制御される。
この二重効用運転では、吸収器２の稀吸収液溜り２Ａにある稀吸収液は稀吸収液ポンプＰ１により低熱源再生器９に搬送されて吸収液溜り９Ｂに貯留されるが、伝熱管１６Ａには熱源としての温水は供給されていない。このため、低熱源再生器９に搬送された稀吸収液は、加熱されることなく中間吸収液ポンプＰ２の運転により高温熱交換器１３を経由して高温再生器５に搬送され、その後は一重二重効用運転と同様に循環しながら加熱されて、高温再生器５と低温再生器６とで吸収液の濃縮再生と冷媒の分離生成とがなされる。この二重効用運転時に、低熱源再生器９に供給する温水の温度が所定の８５℃に達した時には、冷却負荷の大きさに応じて、一重二重効用運転または一重効用運転が行われる。
【００２７】
ところで、本構成の吸収式冷温水機１００は、運転モードを切り替えるモード切替スイッチ５１を備えるため、このモード切替スイッチ５１を操作することにより、冷却負荷の大きさによらずとも、運転モードの切り替えを任意に行うことができる。
次に、モード切替スイッチ５１の操作により、運転モードが切り替えられた際の動作について説明する。図２は、運転モードが切り替えられた際の動作を示すフローチャートである。この処理は所定時間（例えば１分）ごとに実行される。
制御装置５０は、吸収式冷温水機１００が一重効用運転モードで運転されているか否かを判別する（ステップＳ１）。この判別において、吸収式冷温水機１００が一重効用運転モードで運転されている（ステップＳ１；Ｙｅｓ）場合には処理を終了する。
一方、吸収式冷温水機１００が一重効用運転モードで運転されていない、すなわち、吸収式冷温水機１００が一重二重効用運転モードもしくは二重効用運転モードで運転されている（ステップＳ１；Ｎｏ）場合には、制御装置５０は、モード切替スイッチ５１の操作により、運転モードが一重二重効用運転モードもしくは二重効用運転モードから一重効用運転モードに切り替えられたか否かを判別する（ステップＳ２）。
【００２８】
この判別において、運転モードが一重二重効用運転モードもしくは二重効用運転モードから一重効用運転モードに切り替えられていない（ステップＳ２；Ｎｏ）場合には処理を終了する。
一方、運転モードが一重二重効用運転モードもしくは二重効用運転モードから一重効用運転モードに切り替えられた（ステップＳ２；Ｙｅｓ）場合には、制御装置５０は、供給開閉弁６６を開放して（ステップＳ３）、運転モードを一重二重効用運転モードもしくは二重効用運転モードから、ガスバーナ４を消火して一重効用運転モードに切り替える（ステップＳ４）。
この場合、供給開閉弁６６が開放されることにより、稀吸収液ポンプＰ１から吐出された吸収液の一部が吸収液供給管６５を通じて、高温再生器５内に流入するため、この高温再生器５内に稀釈された吸収液を流入させることができる。これにより、高温再生器５内の吸収液の濃度を薄められるため、従来のように、吸収式冷凍機の運転を停止して高温再生器５内の稀釈動作を行う必要がなく、一重効用運転モードでの運転を継続することができる。
【００２９】
続いて、制御装置５０は、第２温度センサＳ２で検出された高温再生器５内の吸収液温度が所定温度Ｔ（例えば、１００℃）以下になっているか否かを判別する（ステップＳ５）。この所定温度Ｔは、高温再生器５内の高温、高濃度の吸収液に、稀吸収液ポンプＰ１から吐出された低温、低濃度の吸収液を混入した場合、混入後の吸収液の結晶化が防止される濃度に対応する温度であり、実験等により求められる。
この判別において、高温再生器５内の吸収液温度が所定温度Ｔ（例えば、１００℃）以下になっていない（ステップＳ５；Ｎｏ）場合には、制御装置５０は、供給開閉弁６６を開放した状態を保持（ステップＳ６）して処理を終了する。
一方、高温再生器５内の吸収液温度が所定温度Ｔ（例えば、１００℃）以下になっている（ステップＳ５；Ｙｅｓ）場合には、制御装置５０は、供給開閉弁６６を閉じて（ステップＳ７）処理を終了する。この場合、高温再生器５内の吸収液温度が所定温度Ｔ以下となった時点で供給開閉弁６６を閉じることにより、高温再生器５内に過剰に稀釈された吸収液が供給されることが防止され、一重効用運転モードから一重二重効用運転モードもしくは二重効用運転モードに切り替えられた場合であっても、当該モードにおける立ち上がりを迅速に行うことができる。
【００３０】
以上説明したように、本実施形態によれば、低熱源再生器９、高温再生器５、低温再生器６、蒸発器１、第１凝縮器７、第２凝縮器１０及び吸収器２を備え、これらを配管接続して吸収液及び冷媒の循環経路をそれぞれ形成し、低熱源再生器９に供給される温水を熱源として吸収液を加熱する一重効用運転と、当該吸収液を高温再生器５が備えるガスバーナ４を熱源として加熱する一重二重効用運転、二重効用運転とを可能に構成された吸収式冷温水機１００において、吸収器２の吐出側と高温再生器５との間を供給開閉弁６６が介在し、当該高温再生器５に稀釈された吸収液を供給する吸収液供給管６５により接続したため、この供給開閉弁６６を開放することにより、吸収液供給管６５を通じて、高温再生器５内に稀釈された吸収液を流入させることができる。このため、モード切替スイッチ５１の操作により、例えば、一重二重効用運転モードもしくは二重効用運転モードから一重効用運転モードに運転モードが切り換えられた場合であっても、高温再生器５内の高濃度の吸収液を稀釈できるため、吸収式冷凍機の運転を停止して高温再生器５内の稀釈動作を行う必要がなく、一重効用運転モードでの運転を継続することができる。
【００３１】
また、本実施形態によれば、高温再生器５内の吸収液温度を検出する第２温度センサＳ２を備え、この第２温度センサＳ２が検出する吸収液温度が所定温度Ｔまで低下した際に、供給開閉弁６６を閉鎖するため、高温再生器５内の吸収液が適度に稀釈され、当該吸収液の結晶化が防止されるとともに、高温再生器５内に過剰な量の吸収液が供給されることが防止され、一重効用運転モードから一重二重効用運転モードもしくは二重効用運転モードに切り替えられた場合であっても、当該モードにおける立ち上がりを迅速に行うことができる。
【００３２】
本実施形態は本発明を適用した一態様を示すものであって、本発明は上記実施形態に限定されない。例えば、本実施形態では、高温再生器５にて吸収液を加熱する加熱手段として燃料ガスを燃焼させて加熱を行うガスバーナ４を備える構成について説明したが、これに限るものではなく、灯油やＡ重油を燃焼させるバーナを備える構成や、蒸気や排気ガス等の温熱を用いて加熱する構成としてもよい。
また、本実施形態では、吸収液供給管６５の一端を高温再生器５のシェル６０に接続した構成としているが、これに限るものではなく、高温再生器５内に稀釈された吸収液が供給できるのであれば、例えば、第１中間吸収液管２２に接続した構成としても良い。
【図面の簡単な説明】
【００３３】
【図１】本実施形態にかかる吸収式冷温水機の概略構成図である。
【図２】運転モードが切り替えられた際の動作を示すフローチャートである。
【符号の説明】
【００３４】
１  蒸発器
２  吸収器
４  ガスバーナ（加熱手段）
５  高温再生器
６  低温再生器
７  第１凝縮器
９  低熱源再生器
１０  第２凝縮器
１２  低温熱交換器
１３  高温熱交換器
１４  冷／温水管
１５  冷却水管
１６  低熱源供給管
２１  稀吸収液管
５０  制御装置
５１  モード切替スイッチ（切替手段）
６０  シェル
６５  吸収液供給管
６６  供給開閉弁
１００  吸収式冷温水機（吸収式冷凍機）
Ｐ１  稀吸収液ポンプ
Ｓ２  第２温度センサ（温度検出手段）
Ｔ  所定温度
【図１】
2010276252.tif 000003
【図２】
2010276252.tif 000004